(57)【要約】      （修正有）【課題】長期間の動力源となる無公害動力源エンジンを提供する。【解決手段】主軸盤に固着する同位体には反応する、補給可能な短期保存の触媒電極化工の放電子の同位体、補給可能な短期保存の触媒物質化工の放素子、左右同位体、永久磁石の放磁気を十文字に設けた同位体、主軸盤に合体同位体を固着した主軸に装着した起動盤磁石の機能作用に連動された内周右回転盤を備える。【選択図】図１
2020202737.tif 000002
【特許請求の範囲】
本発明は廃材プラスチック、ペットボトル化工の汚染ゴミ処理に関する。
【請求項１】
本発明は環境汚染を払拭するために廃材プラスチックとペットボトル等の化工物の汚染ゴミ処理にタイヤの構造の中身に加工した色混りの糸状のテングス状糸を弾力の有るタイヤ型状のプラスチックの器に糸テングスを束ねて巻き付け弾力性の有るパティ剤と混合した粘着力の強い接着剤をタイヤ型状の器に糸テングスを束ね巻き付けた中身に粘り込み弾力性の有る繊維加工の器のタイヤ型状の表面上にダイヤ形状の加工物の器の中に氷上スベリ止め物質とゴム状のパティ剤と強力な接着剤を混合させた弾力性と粘着力と強力な粘着接着剤を粘り込みした加工物の氷上スベリ止めのリサイクルタイヤに廃材プラスチックとペットボトル化工等の汚染ゴミの廃材を材料にして処理するリサイクルタイヤに環境汚染を払拭させた廃材プラスチック化工等の汚染ゴミ処理処分にリサイクルタイヤによる従来の問題点、課題を解決する手段にしたもので有る。
【請求項２】
本発明は環境汚染に廃材プラスチック化工物の汚染ゴミ材源を原料にした氷上止めリサイクルタイヤに廃材プラスチック化工物の汚染ゴミ処理処分の効果の有る氷上スベリ止めリサイクルタイヤで有る。
【発明の詳細な説明】
［発明の詳細な説明］
本発明は環境汚染処理をする目的に廃材プラスチック化工の汚染ゴミ処理に糸テングス状に色混りの加工物を束ね、弾力有るパティ混りの粘りの接着剤をタイヤ形状に弾力性の有る表面上にダイヤ型状の加工物に色混り糸テングスを加工物に巻き付け強力な弾力の有る粘りの有る接着剤で固めた加工物の表面上にダイヤ型の形状の中に強力な弾力の有る粘着接着剤と氷上スベリ止め物質を混ぜ合わせダイヤ型状に粘り込み加工した本発明の特徴は廃材プラスチック化工のゴミ処理加工物の氷上スベリ止めのリサイクルタイヤに関する。
尚、サンダルとクツにも応様出来る。
【技術分野】
【０００１】本発明は環境汚染処理をする目的に廃材プラスチック化工の汚染ゴミ処理に糸テングス色混り加工物を束ね、弾力有るパティ混りの粘りの接着剤をタイヤ形状に弾力性の有る表面上にダイヤ型状の加工物に色混り糸テングスを加工物に巻き付け強力な弾力の有る粘着接着剤をタイヤ形状の表面上のダイヤ型状に粘り込み加工した氷上スベリ止めリサイクルタイヤの環境汚染廃材プラスチック化工処理のリサイクルタイヤに関する。（糸テングスをワイヤー状に網み強化する。）
【背景技術】
【０００２】従来は古タイヤの表面を削り、ゴムを粘り変えした再生タイヤ。
【先行技術文献】
【０００３】従来はタイヤ製造構造はホイール両側に当るタイヤの両側に鉄ワイヤーを束ね布で包み加工したタイヤで有った。
廃材プラスチック化工の糸テングス状に加工したリサイクルタイヤは無かった。
【発明の概要】
環境汚染の廃材プラスチック化工の汚染ゴミ処理に色混り糸テングス状にしたタイヤ型状に巻いて加工したリサイクルタイヤ。
【発明が解決しようとする課題】本発明は環境汚染を払拭するために廃材プラスチック、ペットボトル化工の汚染ゴミ処理に色混りの糸テングス状に加工して束ねて、弾力の有るタイヤ型状のプラスチックの器に糸テングスを巻き付け、弾力性の有る混合した粘着力の強い接着剤をタイヤの中身に粘り込み加工したタイヤの表面上にダイヤ型状の加工物に氷上スベリ止め物質とゴム状のパティ剤を混合させた弾力性と粘着力の強力な粘着接着剤をダイヤ型状に粘り込みした加工物の氷上スベリ止めのリサイクルタイヤに廃材プラスチックとペットボトル化工を材料にして環境汚染を払拭する廃材プラスチック化工の汚染ゴミを材料にして処理したリサイクルタイヤに環境汚染の廃材プラスチック化工の汚染ゴミ処理にさせたリサイクルタイヤに従来の課題を解決しようとする手段にはかったもので有る。尚、サンダルとクツにも応様出来る。
［従来の課題］
［従来技術の問題点］
１、従来は再生タイヤにするために古タイヤの表面を削り、新しいゴムを焼き付けをして再生リサイクルタイヤにしている。
２、タイヤの製造にプラスチック化工を糸テングス状にした加工物をタイヤの中身に組み込して加工したタイヤ製品は無かった。
従来の環境汚染処理に課題を解決しようとする手段には至らなかった。
３、環境汚染のプラスチック化工物の廃材ゴミを処理して処分をする手段にした解決方法は見つから無かった。
【課題を解決するための手段】本発明は廃材プラスチック、ペットボトル化工の汚染ゴミ処理に関する。
【実施例】１
本発明は環境汚染を払拭するために廃材プラスチップとペットボトル等の化工物の汚染ゴミ処理にタイヤの構造の中身に加工した色混りの糸状のテングス状糸を弾力の有るタイヤ型状のプラスチックの器に糸テングスを束ねて巻き付け、弾力性の有るパティ剤と混合した粘着力の強い接着剤をタイヤ型状の器に糸テングスを束ね、巻き付けた中身に粘り込み弾力性の有る繊維加工の器のタイヤ型状の表面上にダイヤ形状の加工物の器の中に氷上スベリ止め物質とゴム状のパティ剤と強力接着剤を混合させた弾力性と粘着力と強力な粘着接着剤を粘り込みした加工物の氷上スベリ止めのリサイクルタイヤに廃材プラスチックとペットボトル化工等の汚染ゴミの廃材を材料にして処理するリサイクルタイヤに環境汚染を払拭させた廃材プラスチック化工等の汚染ゴミ処理にさせたリサイクルタイヤによる従来の問題点、課題を解決する手段にしたもので有る。
【実施例】２
本発明は環境汚染に廃材プラスチック化工物の汚染ゴミ材源を原料にした氷上止めリサイクルタイヤに廃材プラスチック化工物の汚染ゴミ処理処分の効果の有る氷上スベリ止めリサイクルタイヤで有る。
【発明の効果】
本発明は従来の環境汚染の問題点、課題を解決する手段に廃材プラスチックとペットボトル等の化工物の汚染ゴミを原料にしたリサイクルタイヤの構造内に糸状のテングス糸に加工して弾力性の有る繊維状の加工物に束ねて巻き付け強力な混合させた粘着接着剤を粘り込んだリサイクルタイヤによる環境汚染の廃材プラスチック化工等の汚染ゴミ処理問題の従来の課題を解決する手段のリサイクルタイヤにより、汚染ゴミ処理処分に出来る環境汚染ゴミを払拭する事が出来る。効果の有る氷上スベリ止めのリサイクルタイヤの発明を提供する。
本発明は環境汚染に廃材プラスチック化工物の汚染ゴミ材源を原料にしたリサイクルタイヤに廃材プラスチック化工物の汚染ゴミ処理処分の出来る効果の有るリサイクルタイヤで有る。
尚、氷上スベリ止めの物質はサンダルとクツにも応様出来る。
【発明を実施するための最良の形態】
【実施例】廃材プラスチックとペットボトル化工等の加工物を洗浄した色混りの加工物を糸状のテングス状の糸を弾力性の有る繊維状のタイヤ型状のプラスチック加工物に束ねて巻き付かせた加工物に弾力性の有る粘着剤とパティ剤を混合させた強力な粘着接着剤を粘り込み付着させたプラスチック加工物の表面上にダイヤ型状にスベリ止め物質とスベらないパティ剤と強力なスベらない接着剤を混合させて粘り込みしてタイヤの構造に付着させた加工物の氷上スベリ止めのリサイクルタイヤで有り、最良の形態の発明で有る。
本発明は環境汚染に廃材プラスチック化工物の汚染ゴミ材源を原料にしたリサイクルタイヤに環境汚染の廃材プラスチック化工物の汚染ゴミ処理に出来るリサイクルタイヤの廃材ゴミ処理処分の効果有る汚染ゴミ処理処分の出来るリサイクルタイヤで有る。
【産業上の利用可能性】産業上分野のタイヤ業界においても、サンダル、クツ産業においても氷上にスベらないサンダルとクツに利用、使用は可能で有る。
尚、リサイクルタイヤにおいてはタイヤ業界に多大に貢献出来ると、思われる。実用化は可能で有る。
本発明は環境汚染に廃材プラスチック化工物の材源を原料にしたリサイクルタイヤに廃材プラスチック化工物の汚染ゴミ処理出来るリサイクルタイヤの廃材ゴミ処理処分の出来る効果の有るリサイクルタイヤで有る。尚、氷上スベリ止めの物質はサンダルとクツにも応様出来る。
【図面の簡単な説明】（氷上スベリ止めのリサイクルタイヤ）
【図３】斜視図  （１）弾力性のタイヤ型状のプラスチック繊維のダイヤ形に表面上の加工物。（２）プラスチック化工の糸テングスにした加工物。（３）ホイールに接する部分にワイヤー状に何度も巻き束ねた糸状テングスの加工物。（４）糸テングス加工物に包み粘着させた接着ゴム剤。（５）タイヤの表面上にダイヤ型状に粘り込みのスベリ止め物質のピッチとパティ剤と粘着接着剤を混合させたスベリ止め物質剤。（６）プラスチックを化工した糸テングス状の加工物。（７）糸テングス加工物を束ねた糸テングス。
【図４】断面図  （１）プラスチック化工の弾力性の有る繊維状に固めたダイヤ形加工物  （２）プラスチック化工の糸テングス加工物。（３）糸テングス加工物に包み粘着させた接着ゴム剤。（４）プラスチック化工の糸テングスにした加工物。（５）タイヤの表面上にダイヤ型状に粘り込のスベリ止め物質のピッチとパティ剤と粘着接着剤を混合させたスベリ止め物質剤。（６）プラスチックを化工した糸テングス状の加工物。（７）糸テングス加工物を束ねた糸テングス
【図２】断面図  （１）プラスチック化工の弾力性の有る繊維状に固めたダイヤ形加工物。（２）プラスチック化工の糸テングス加工物  （３）糸テングスを束ねた糸テングス加工物。
【図１】断面図  （１）プラスチック化工の弾力性の有る繊維状に固めたダイヤ形加工物。（２）プラスチック化工の糸テングス加工物を何度も巻いた糸テングス。（３）糸テングスを束ねた糸テングス加工物。（４）ホイールに接する部分にワイヤー状に巻いた糸テングス加工物。（５）ワイヤー状に巻いた糸状テングスを束ねた糸テングス加工物。
2020202737.tif 000003
【手続補正書】
【提出日】令和1年10月15日(2019.10.15)
【手続補正１】
【補正対象書類名】明細書
【補正対象項目名】全文
【補正方法】変更
【補正の内容】
【発明の詳細な説明】
【技術分野】
【０００１】持続する主軸と同時連回転の動力源エンジンに関する。
本発明は従来の動力エンジンとは相違点の数個の特徴を有する同位には反応する補給可能な短期保存触媒化工の電極放電子同位体と短期保存触媒化工の物質放素子同位体と永久磁石の放磁気同位体を復合させた復数個をエンジンの構造内に組み込みして搭載した相い互いの同位体頂点同志のふれ合いする構成のメカニズム。
［実施例］に起動力の起された動力に起電源の起された電源を復数個の短期保同位体に送電させて保持させながら主軸と連動回転にする重要不可欠な反逆転の連動と加速回転にてこ回転はね返しにはじかれ、主軸の回転にてこ送り回転の反動力抵抗のてこはね回転の反発力抵抗の相い互いの同位体頂点同志のふれ合いする機能作用動作のはじかれと吸引力と反逆転の作用動作原理のさせるメカニズムに持続する主軸と同時に連動回転の長期間の動力源に成るエンジンにはかった形態にするもので有る。
【背景技術】
【０００２】従来は動力と電源のエンジンを得る目的に自然界における利用、使用、の化石燃料、による内燃機関の吸入、圧縮、爆発、排気、の動作原理の動力エンジンには資源と公害の課題が有り、太陽光の利用には条件が有り、バッテリー電源の長期の利用、使用には補充電と熱が生じると、動力モーターの機能作用は無く成る課題の有ったエンジンは有る。
【先行技術文献】
【０００３】内燃機関の動力エンジンと電源の動力モーターエンジンを組み合わせたハイブリットエンジンは有る。
【特許文献１】［出願日］平２４年１２月２１日（２０１２−１２、２１）  ［出願番号］（特願２０１２−２８９４２６）  ［特許公開］（平成２６年４月８日）  認定し検討する
【特許文献２】［起案日］（平成２７年１月１５日）  ［特願番号］（２０１２−２８９４２６）  ［特願］（２０１４−１３１８８８）
【非特許文献】
【０００４】
【非特許文献１】［特許出願］（昭和５１年第０２３８５６号）  特許法第４４条第１項規定による特許出願。特許法第３８条ただし書きの規定による特許願い。
【非特許文献２】［出願日］（平成５年（１９９３）１月２８日）  ［特願番号］（平５−４９８５１）  ［手続補正］（適合）済  ［特許公開公報］（平成７（１９９５年４月７日）  ［特許公開］（平成７−９５７８４）  ［刊行誌］載る平成７年６月号
【発明の概要】
従来は動力と電源のエンジンを得る目的にした原動力の自然界における利用、使用、の化石燃料による内燃機関の吸入、圧縮、爆発、排気の動作原理の動力エンジンには資源と公害の課題が有り、太陽光の利用には条件が有り、バッテリー電源の長期の利用、使用には条件が有り、補充電と熱が生じると動力モーターの機能作用は無く成る課題の有った、エンジンは有る、又、内燃機関の動力エンジンと電源による動力モーターエンジンを組み合わせたハイブリットエンジンは公害は出る。
【発明の概要】
【発明が解決しようとする課題】従来は動力エンジンの吸入、圧縮、爆発、排気の動作原理の原動力に自然界における化石燃料、水素、ガスを補給させながら動力と電源を得るエンジンで有るが、資源に限りが有り、大気汚染、コストも高価で有り、太陽光の利用は夜の機能は無く。バッテリーと太陽光の電源から動力モーターからダイナモからバッテリーの作用動作で有るが、長期稼働には熱が生じると、モーター機能作用は無く成り、従来の動力エンジンを長期に何時処でも即応出来る事の課題が有り、又、動力の内燃機関のエンジンと電源よる動力モーターと組み合せたハイブリットエンジンは有る。
従来の特許文献１、２、と非特許文献１、２、における起動力源を得る目的の一態様趣旨の方法の起動力源にしようとした文献も有った。
本発明が解決しようとする課題の概要を払拭するために、本発明は従来の趣旨とは異なる相違点の有る従来の趣旨の引用は全く無く。引用による物事では無い。
昭和５１年  特出願  第０２３８５６号  非文献
無の静止状況の起源根元理の仮説のエネルギーの起りに導きされて連なりされて連なりさせて導きさせれての連なりされて導きされて導きさせる連なりさせてこそ導き連なる連導するエネルギー起りの起源理に自らエネルギーを起させて起りにさせるモーターとダイナモの中間に触媒を通して自らエネルギーを続かせて起りにさせる一態様趣旨の装置方法の非文献も有った。
平成５年（１９９３）１月２８日特出願（平成５−４９８５１号）非文献
特開    （１９９５）平成７年４月７日（平７−９５７８４号）
起動力源を得る目的に自らエネルギーを続かせてエネルギーを起りにさせる趣旨の一態様のバッテリーの＋と−の端子の放電子による自らエネルギーを続かせてエネルギーを起させる装置方法の非文献も有った。
【発明を実施するための最良の形態】（相い互いの同位体頂点同志のふれ合いする機能作用動作の作用動作原理のさせるギヤーによる反逆転に連動の加速回転に主軸と同時連動回転のするメカニズムであるが、反逆転無くして、回転は無く。連動だけで有る。
【実施例】［主軸と連動回転時に右回転主軸同位体頂点と合体左回転同位体頂点と外週左回転同位体頂点同志の相い互いの機能作用動作のふれ合いする作用動作原理のさせるてこ回転はね返しのはじかれ抵抗回転のメカニズムに反逆転があるからこそ連動回転に成る。
主軸同位体頂点の相い互いにふれ合いするてこ回転はね返しの抵抗回転にはじかれ、てこ送り回転時に生じる反動力抵抗の主軸の回転にてこはね回転時に生じる反発力抵抗の反逆転に連動の加速回転にされた
主軸の加速回転に装着した内週回転盤に主軸の回転にする相い互いの合体反逆回転同位体頂点と主軸同位体頂点同志のふれ合いの抵抗回転にはじかれ、てこ送り回転に生じる反動力抵抗の主軸の回転にてこはね回転に生じる反発力抵抗に回転する主軸に装着した内週回転盤の外側に装着した
外週反逆回転盤に特徴を有する同位体頂点を順応に並べて設着した相い互いの頂点同志のふれ合いに合体反逆回転同位体頂点を加速回転にさせたメカニズムをエンジンの構造内に組み込みして搭載した持続する主軸と連動回転の維持に起動力の起された動力に起電源の起された電源を補給可能な短期保存触媒化工から外部放出する同位体強化を保持させながら送電させて長期間の動力源エンジンにさせた趣旨の提供で有る。が、反逆転無くして連動回転は出来ず、連動だけで有る。効果有る動力源エンジンの趣旨の提に従来の動力エンジンの趣旨とは異なる相違点の有る提供に課題を解決する手段にはかった長期間の動力源に成る持続する主軸と同時に連動回転の無公害動力源エンジンの発明を提供する。
最良の形態で有る。
【図面の簡単な説明】
【図１】正面図と［図２］同位体図と［図３］断面図と［図４］略図［符号の説明］
（ギヤーによる反逆転）
［実施例］１、（図１）正面図（符号１〜６は起動磁石の機能作用に主軸と内週回転の連動された
主軸盤２に固着する同位体には反応する、
補給可能な短期保存の触媒電極化工の放電子上２０、下３８′の同位体、
補給可能な短保存の触媒物質化工の放素子左１９、右１４′同位体、
永久磁石の放磁気９、１１′、１３′、１５′を十文字に設けた同位体、
（主軸盤２に合体同位体を固着した主軸１に装着した起動盤磁石６の機能作用に連動された内週右回転盤）５に、
［実施例］２、（図３）断面図
（ギヤーによる反逆転の内週右回盤に設置した合体反逆左回転加工物）
合体反逆左回転加工物１５、２０、１９、２１に復合同位体の補給可能な短期保存の触媒電極化工の放電子を１５に上１６′、下１２を設け、２０に上２１′、下２５′を設け、１９に上１０′、下３０′を設け、２１に上３８′、下４２′を設けて、補給可能な短期保存の触媒物質化工の放素子を１５に左１８′、右１４を設け、２０に左２３、右２９′を設け、１９に左１８、右３２′を設け、２１に左４０′、右４４′を設けた、復合に永久磁石の放磁気を１５に１３、１５′、１７′、１９′を設け、２０に、２２′、２４′、２６′、２８′を設け、１９に、１７、２９′、３１′、３３′、を設け、２１に３９′、４１′、４３′、４５′を設けて復合させた合体反逆左回転加工物同位体の復数個を内週右回転盤に設置させた外側に、
［実施例］３（図４）略図
（ギヤーによる反逆転の外週反逆左回転盤４２に特徴を有する同位体の復数個を順応に並べて設着させた同位体）に補給可能な短期保存同位体の触媒物質化工の放素子３６と電磁石の放磁気３７と短期保存触媒電極化工の放電子３８と電磁石の放磁気３９と短期保存触媒物質化工の放素子４０と永久磁石の放磁気４６′と永久磁の放磁気４７′と順応した設着に相い互いの同位体頂点同志のふれ合いに反逆転にはじかれ、加速回転する合体反逆左回転同位体の
［実施例］４
（機能作用動作）に、てこ回転はね返しにはじかれ、てこ送り回転の反動力抵抗のてこはね回転の反発力抵抗の相い互いの同位体頂点同志のふれ合いにはじかれて、吸引力の作用動作に主軸と同時に連動回転にするメカニズムを（図９）と（図９−２）と（図１０）に示して符号を付けて記載した図の説明。
【図２】略図同位体同志には反応する［補給可能な短期保存触媒化工の電極放電子８、１６の同位体］
構造の構成。
炭素粉と活性炭素粉を混合してねり合わせ布硫酸を混入して染めらせた炭素板に電流を通して短期保存触媒化工から外部放出する放電子同位体は保持され触媒を直列に継ぐとさらに強化に成る補給可能な短期保存触媒化工の電極放電子の同位体同志のふれ合いの反発力にさせるもので有る。
［永久磁石の放磁気同位体同志９−１７の同位体］
永久磁石の放磁気機能作用の同位体同志のふれ合いする吸引力の回転にさせる同位体同志のふれ合いに主軸盤に数個を合体させ、内週回転盤に数個を固着させ、主軸の回転に合体反逆回転盤に合体させた復数個を設置させた外側にギヤーによる反逆転の外週反逆回転盤に特徴を有する放磁気同位体と短期保存触媒に送電して放電子を保持させる設置にさせたもので有る。
［電磁石の放磁気同位体３７、３９の同位体］
電磁石の放磁気機能作用に起された電源を短期保存触媒に送電して放電子同位体を保持させる電磁石の設着させたもので有る。
［補給可能な短期保存触媒化工の物質放素子１０、１８、同位体］
構造の構成。
炭素粉と活性炭素粉を混合してねり合わせ希硫酸を混入して染めらせた炭素棒に電流を通して短期保存触媒化工から外部放出する放素子同位体は保持され触媒を直列に継ぐとさらに強化に成る補給可能な短期保存触媒化工の物質放素子の同位体同志のふれ合いの反発力にさせるもので有る。
［実施例］
ギヤーによる反逆転の外週反逆回転盤に順応に設着させた同位体頂点と合体反逆加束回転の同位体同志のふれ合う機能作用動作の反逆転に加速回転のてこ回転はね返しにはじかれ放磁気機能の吸引力の主軸回転に作用動作のさせるてこ送り回転の反動力抵抗のてこはね回転の反発力抵抗の反逆転による主軸と同時連動回転のするエンジンにはかったメカニズムの原動力にさせるもので有る。
【図３】断面図と［図３−２］略図に関する。［図９］断面図
［符号の説明］
１）主軸盤２、に固着した特徴の有る合体同位体
２、上、下、に設けた触媒電極化工の放電子８、１２′
３  左、右、に設けた触媒物質化工の放素子１０、１４′、
４  十文字に設けた永久磁石の放磁気９、１１′、１３′、１５′、
２）内週右回転盤５に主軸の回転に
５  復数個の合体左回転同位体１５、１９、２０、２１、に
６  上、下、に設けた電極化工の放電子１２、１６′、２１′、２５′、１６、３０′、３８′、４２′
７  左、右、に設けた物質化工の放素子１４、１８′、２３′、２７′、１８、３２′、４０′、４４′、
８  合体に設けた永久磁石の放磁気１３、１５′、１７′、１９′、２２′、２４′、２６′、２８′１７、１９、３１′、３３′、３９′、４１′、４３、４
９  十文字に設けた永久磁石の放磁気４３、４４、４５、４６、
（３）外週反逆左回転盤４２に設着させた特徴を有する復数の同位体に
１０  触媒物質化工の放素子同位体３６、
１１  電磁石の放磁気同位体３７
１２  触媒電極化工の放電子同位体３８、
１３  電磁石の放磁気同位体３９、
１４  触媒物質化工の放素子同位体４０、
（４）図３に示して記載したメカニズムをエンジンの構造内に組み込みして搭載した相い互いの同位体頂点同志のふれ合いに主軸と同時に連動回転に起動力の起された動力に起電源の起された電源を補給可能な短期保存エネルギー源から外部放出する同位体の復数個に送電させて短期保存エネルギー源を保持させながら持続する主軸と同時に連動回転の長期間の動力源に成るエンジンのメカニズムで有る。
［図３］断面図
（１）主軸盤に固着した特徴の有る合体同位体。
［符号の説明］
１、主軸盤２、
２、触媒電極化工の放電子同位体８、１２′
３、触媒物質化工の放素子同位体１０、１４′、
４、永久磁石の放磁気同位体９、１１′、１３′、１５′、
（２）  内週右回転盤に主軸の回転に復数個を設置させた
５  内週右回転盤５、
６  復数個の合体左回転盤１５、１９、２０、２１、に
７  触媒電極化工の放電子同位体１２、１６′、２１′、２５′、１６、３０′、３８′、４２′、
８  触媒物質化工の放素子同位体１４、１８′、２３′、２７′、１８、３２′、４０′、４４′、
９  合体永久磁石の放磁気同位体１３、１５′、１７′、１９′、２２′、２４′、２６′、２８′、１７、１９、３１′、３３′、３９′、４１′４３、４、
１０  永久磁石の放磁気同位体４３、４４、４５、４６、
（３）  外週反逆左回転盤に設着させた特徴を有する復数の同位体に
１１  外週反逆左回転盤４２、
１２  触媒物質化工の放素子同位体３６、
１３  電磁石の放磁気同位体３７、
１４  触媒電極化工の放電子同位体３８、
１５  電磁石の放磁気同位体３９、
１６  触媒物質化工の放素子同位体４０、
１７  順応に並べる設着に（実施例）１、に符号の書か無い部分も有る。
（図３断面図のメカニズムの符号の説明）
［図面の詳細な説明］
［図３］断面図
［同位体同志の機能作用動作の作用動作原理のさせるエンジン。］
（図３−２）略図の一部変更して拡大したエンジンの構造内に組み込みして搭載した相い互いの同位体頂点同志のふれ合いする機能作用動作のメカニズムのエンジンにするもので有る。
［符号の説明］
［実施例］１、［図３］断面図
右回転時主軸１の主軸盤２に特徴の有る同位体を固着させた触媒電極化工の放電子上２０と下３８′を設け、触媒物質化工の放素子左１９と右１４′を設け、永久磁石の放磁気９、１１′、１３′、１５′、十文字に設けた合体同位体を固着した主軸にスプライン状にスライドする起動盤磁石４の機能作用に連動された起動磁石固着６の内週右回転盤に
２、ギヤーによる反逆転の主軸の回転に合体反逆左回転加工物の１５、２０、１９、２１、に復合、同位体の触媒電極化工の放電子同位体を１５の上１６′下１２に設け、２０に上２１下２５′を設け、１９に上１０′、下３０′を設け、２１に上３８′下４２′を設けた合体に触媒物質化工の放素子同位体を１５に左１８′右１４を設け、２０に左２３右２７′を設け、１９に左１８右３２′を設け、２１に左４０′右４４′を設けた復合に永久磁石の放磁気同位体を１５に１３、１５′、１７′１９′を設け、２０に２２′、２４′、２６′、２８′を設け、１９に１７、２９′、３１′、３３′、を設け、２１に３９′、４１′、４３′、４５を設けた合体反逆左回転加工物同位体の復数個を設置させた外側に、
３、反逆転の外週反逆左回転盤４２に特徴を有する触媒物質化工の放素子３６と電磁石の放磁気３７と触媒電極化工の放電子３８と電磁石の放磁気３９と触媒物質放素子４０と永久磁石の放磁気４６′と永久磁石の放磁気４７′と順応して並べて設着させた相い互いの同位体頂点同志のふれ合いの反逆転にはじかれ加速回転のする合体反逆左回転加工物の回転にてこ回転はね返しにはじかれて合体反逆左回転同位体のてこ回転はね返しにはじかれ、てこ送り回転の反動力抵抗の主軸の回転にてこは回転の反発力抵抗の相い互いの同位体頂点同志のふれ合いにはじかれ、吸引力の作用動作に主軸と同時に連動回転のメカニズムを図９に示した記載で有る。
【図４】略図一部符号変更相い互いの同位体同志には反応する短期保存触媒化工の電極放電子と物質放素子の反発力と反応しない永久磁石の放磁気の吸引力の回転にはじかれ、吸引力の連動回転にするメカニズムであるが、ギヤーによる反逆転無しでは連動回転は出来ず、連動するだけで、回転は出来無い。
［実施例］
［主軸と連動回転時に右回転主軸同位体頂点と合体左回転同位体頂点と外週左回転同位体頂点同志の相い互いの機能作用動作のふれ合いする作用動作原理のさせるてこ回転はね返しのはじかれ抵抗回転のメカニズムに反逆転があるからこそ連動回転に成る。
（１）主軸同位体頂点の相い互いにふれ合いするてこ回転はね返しの抵抗回転にはじかれ、てこ送り回転時に生じる反動力抵抗の主軸の回転にてこはね回転時に生じる反発力抵抗の反逆転に連動の加速回転にされた
（２）主軸の加速回転に装着した内週回転盤に主軸の回転にする相い互いの合体反逆回転同位体頂点と主軸同位体頂点同志のふれ合いの抵抗回転にはじかれ、てこ送り回転に生じる反動力抵抗の主軸の回転にてこはね回転に生じる反発力抵抗に回転する主軸に装着した内週回転盤の外側に装着した
（３）外週反逆回転盤に特徴を有する同位体頂点を順応に並べて設着した相い互いの頂点同志のふれ合いに合体反逆回転同位体頂点を加速回転にさせたメカニズムをエンジンの構造内に組み込みして搭載した持続する主軸と連動回転のする
（４）持続させる主軸と同時連動回転にする起動力の起された動力に起電源の起された電源を短期保存同位体に送電させて保持させながら持続する連動回転の長期間の無公害動力源エンジンの提供により、従来の課題を解決する手段にした長期間の動力源エンジンの提供に従来の動力エンジンとは異なる相違点の有る長期間の動力源に成るエンジンにはかったメカニズムの図の説明で有る。
図４略図
【符号の説明】（同位体頂点同志）一部変更
１、短期保存触媒化工の電極放電子同位体
１、２と３、４、と５、６、と７、８、と
２、短期保存触媒化工の物質放素子同位体
９、１０、と１１、１２、と１３、１４、と１５、１６、と
３、永久磁石の放磁気同位体
１７、１８、と１９、２０と２１、２２、と２３、２４、と２５、２６、と２７、２８、２９、３０、と
４、反逆転の連動回転にする外週反逆回転盤に設着した順応に並べた復数個の同位体
３１、３２、と３３、３４、と３５、３６、と３６、１１、と３７、３８、と３９、３、４０、４１、と４２、４３、と４４、４５、と４６、４７、と４８、１５、と４９、５０と５１、７、と５２、３２、と５３、９、の同位体頂点同志の構成に反逆転の回転が有るからこそ連動する連動回転が出来る。
【手続補正２】
【補正対象書類名】特許請求の範囲
【補正対象項目名】全文
【補正方法】変更
【補正の内容】
【特許請求の範囲】
【請求項１】
（図１正面図）符号１〜６記載は主軸盤２、に復合同体８、９１０を固着した主軸２、のスプライン状３にスライドする放磁気による連動とギヤーによる連動に
［実施例］１、
１  起動盤磁石４、と装着した内週回転盤５に固着の起動盤磁石６、の機能作用に連動する内週回転盤５、に主軸の回転にする、
２  ギヤーによるフレームに設けたアイドルギヤーに反逆転の同位体合体反逆回転加工物１５、１９、４１、の復数個を内週回転盤に設置させた外側に、反逆転の
３  外週反逆回転盤４２、に特徴を有する復数個の同位体頂点を順応に並べて設着させたギヤーによる反逆転の加速回転にする相い互いの同位体頂点同志のふれ合いする機能作用動作の構成にはかった放磁気による連動とギヤーによる連動のメカニズムの形態にする図で有る。
【請求項２】
［図３断面図］記載の同位体には反応する補給可な短期保存触媒化工の電極放電子同位体と短期保存触媒化工の物質放素子同位体と永久磁石の放磁気同位体頂点同志の相い互いの機能作用動作のふれ合いする作用動作原理のさせるメカニズムの形態。
［実施例］２、
主軸と同時の連動回転にする補給可な短期保存触媒化工の同位体と永久磁石の同位体を復合させて合体させた
１  主軸回転盤２に固着した同位体の
電極放電子同位体と
物質放素子同位体と
永久磁石の放磁気同位体頂点を合体させた主軸２、に装着した内週回転盤に
２  ギヤーによる反逆転の合体反逆回転加工物盤に復合させた同位体の
短期保存触媒化工の電極放電子同位体と
短期保存触媒化工の物質放素子同位体と
永久磁石の放磁気同位体頂点を合体させた加工物の復数個を内週回転盤に設置させた外側に装着した反逆転の同位体頂点同志の
３  ギヤーによる反逆転の外週反逆回転盤に特徴を有する同位体の復数個を順応して並べて設着させた同位体頂点同志の
短期保存触媒化工の物質放素子同位体３６と
電磁石の放磁気同位体３７と
短期保存触媒化工の電極放電子同位体３８と
電磁石の放磁気同位体３９と
短期保存触媒化工の物質放素子同位体４０と
永久磁石の放磁気同位体４６′と
永久磁石の放磁気同位体４７′と順応して並べて設着させた反逆転の加速回転に相い互いの同位体頂点同志のふれ合いする機能作用動作に
［実施例］３、
てこ回転はね返しにはじかれ、てこ送り回転の反動力抵抗のてこはね回転の反発力抵抗の同位体頂点同志のはじかれと、吸引力に主軸と同時連動回転の作用動作原理のさせるメカニズムの形態にするもので有る。
［主軸と同時に連動回転の構成］に頂点変更に左、右に主軸を回転に出来る構成を一部符号変更して拡大した（図９−２略図）記載の相い互いの同位体頂点同志のふれ合いする反逆転の加速回転にはじかれて、吸引力の連動回転にする機能作用動作の合体反逆回転の作用動作原理のさせる同位体頂点同志のメカニズムの構成にはかったもので有る。
【請求項３】
（同位体頂点同志の機能作用動作の作用動作原理のさせるメカニズム）
［実施例］４、
主軸と同時に連動回転にする相い互いの同位体頂点同志の機能作用動作の反逆転の加速回転にてこ回転はね返しの回転にはじかれ、てこ送り回転の反動力抵抗の主軸の回転に、てこはね回転の反発力抵抗の同位体頂点同志のふれ合いにはじかれて、吸引力と反逆転に作用動作原理のさせる主軸と同時に連動回転のするメカニズムにさせた
（２）［連動に機能作用動作の回転に作用動作原理のさせるメカニズム。］
相い互いの同位体頂点同志のふれ合いする機能作用動作の連動に、
１、主軸盤２、に固着した電極放電子同位体頂点を上、下に設け、
２、合体させて固着した物質放素子同位体頂点を左、右に設け、
３、合体させて固着した永久磁石放磁気同位体頂点を十文字に設けた
主軸の合体同位体頂点と、回転に装着した内週回転盤に
（３）反逆回転加工物盤に合体させて固着した同位体の
５、電極放電子同位体頂点を上、下に設け、
６、物質放素子同位体頂点を左、右に設け、
７、永久磁放磁気同位体頂点を十文字に設けた
合体反逆回転同位体頂点の復数個を内週回転盤に設置した外側に、
（４）装着させた外週反逆回転盤に特徴を有する同位体頂点を順応に設着した
８、物質放素子同位体頂点３６を設け、
９、電磁石放磁気同位体頂点３７を設け、
１０、電極放電子同位体頂点３８を設け、
１１、電磁石放磁気同位体頂点３９を設け、
１２、物質放素子同位体頂点４０を設け
１３、永久磁石放磁気同位体頂点４６′４７′を設けて順応に並べて設着させた
反逆転の外週反逆回転盤の同位体頂点に相い互いの同位体頂点同志のふれ合いする連動回転に機能作用動作の作用動作原理のさせる主軸と同時に連動回転のエンジンにはかったメカニズムで有る。
［実施例］５、
［主軸と連動回転時に右回転主軸同位体頂点と合体左回転同位体頂点と外週左回転同位体頂点同志の相い互いの機能作用動作のふれ合いする作用動作原理のさせるてこ回転はね返しのはじかれ抵抗回転のメカニズム。］
（１）主軸同位体頂点の相い互いにふれ合いするてこ回転はね返しの抵抗回転にはじかれ、てこ送り回転時に生じる反動力抵抗の主軸の回転にてこはね回転時に生じる反発力抵抗のふれ合いにする
（２）主軸の加速回転に装着した内週回転盤に主軸の回転にする相い互いの合体反逆回転同位体頂点と主軸同位体頂点同志のふれ合いの抵抗回転にはじかれ、てこ送り回転に生じる反動力抵抗の主軸の回転にてこはね回転に生じる反発力抵抗に回転する主軸に装着した内週回転盤の外側に装着した
（３）外週反逆回転盤に特徴を有する同位体頂点を順応に並べて設着した相い互いの頂点同志のふれ合いに合体反逆回転同位体頂点を加速回転にさせた、メカニズムをエンジンの構造内に組み込みして搭載した持続する主軸と連動回転のする
（４）持続させる主軸と同時連動回転にする起動力の起された動力に起電源の起された電源を短期保存同位体に送電させて保持させながら持続する連動回転の長期間の無公害動力源エンジンの提供により、従来の課題を解決する手段にした長期間の動力源エンジンの提供で有る。が、反逆転無くして連動するだけで連動の回転は出来無い。
【手続補正３】
【補正対象書類名】図面
【補正対象項目名】全図
【補正方法】変更
【補正の内容】
【図１】
2020202737.tif 000004
【図２】
2020202737.tif 000005
【図３】
2020202737.tif 000006
【図４】
2020202737.tif 000007